【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品の中から、交換を予約する景品の選択を前記ユーザから受け付ける予約受付手段と、該予約受付手段にて選択された景品を特定可能な景品特定情報及び該ユーザを特定可能なユーザ特定情報を含む予約要求を送信する予約要求送信手段と、を有する予約端末と、
前記予約要求送信手段から送信されてきた予約要求に対応する予約を識別可能な予約識別情報に対応付けて該予約要求に含まれる景品特定情報及びユーザ特定情報を登録する予約内容登録処理を行う予約内容登録手段を有する景品管理装置と、
店舗に設けられ、前記予約識別情報を受け付ける予約識別情報受付手段と、該予約識別情報受付手段にて受け付けた予約識別情報を含む景品提供要求を前記景品管理装置に送信する景品提供要求送信手段と、を有する予約確定端末と、を備え、
前記景品管理装置は、前記景品提供要求送信手段から送信されてきた景品提供要求に含まれる予約識別情報に対応付けて登録された景品特定情報から特定される景品を前記ユーザ特定情報から特定されるユーザに提供するための提供処理を行う提供処理手段を有する景品交換システムであって、
前記景品管理装置は、
各景品の在庫数を登録する在庫数登録手段と、
各景品について、前記予約内容登録処理に供された予約個数を集計する予約個数集計手段と、
前記在庫数登録手段に登録された在庫数と、該予約個数集計手段により集計された予約個数とに基づいて、前記景品の予約が可能であるか否かを判定する在庫数判定手段と、
前記ユーザ１人あたりが予約可能な景品の個数又は前記ユーザ１人あたりが予約に供することが可能な有価価値に対する上限値を設定する上限値設定手段と、
前記予約を行うユーザについて、前記予約内容登録処理に供されたが前記提供処理に未だ供されていない景品である未提供予約景品の個数である未提供予約個数又は当該未提供予約景品に対応する有価価値である未提供予約価値を特定する未提供予約特定手段と、
該未提供予約特定手段により特定された未提供予約個数又は未提供予約価値と、前記上限値設定手段により設定された上限値とに基づいて、前記ユーザについて予約が可能であるか否かを判定する上限値判定手段と、をさらに有し、
前記在庫数判定手段により予約が可能でないと判定されたことを条件として、該判定の対象となった景品について前記予約内容登録処理を不能化するための処理を行うと共に、前記上限値判定手段により予約が可能でないと判定されたことを条件として、該判定の対象となったユーザについて前記予約内容登録処理を不能化するための処理を行うことを特徴とする景品交換システム。
【請求項２】
店舗に設けられ、ユーザが所有する有価価値と交換可能な複数の景品の中から、交換を予約する景品の選択を前記ユーザから受け付ける予約受付手段と、該予約受付手段にて選択された景品を特定可能な景品特定情報及び該ユーザを特定可能なユーザ特定情報を含む予約要求を送信する予約要求送信手段と、を有する予約端末と、
前記予約要求送信手段から送信されてきた予約要求に対応する予約を識別可能な予約識別情報に対応付けて該予約要求に含まれる景品特定情報及びユーザ特定情報を登録する予約内容登録処理を行う予約内容登録手段を有する景品管理装置と、
店舗に設けられ、前記予約識別情報を受け付ける予約識別情報受付手段と、該予約識別情報受付手段にて受け付けた予約識別情報を含む景品提供要求を前記景品管理装置に送信する景品提供要求送信手段と、を有する予約確定端末と、を備え、
前記景品管理装置は、前記景品提供要求送信手段から送信されてきた景品提供要求に含まれる予約識別情報に対応付けて登録された景品特定情報から特定される景品を前記ユーザ特定情報から特定されるユーザに提供するための提供処理を行う提供処理手段を有する景品交換システムであって、
前記景品管理装置は、
各景品の在庫数を登録する在庫数登録手段と、
前記予約内容登録処理に伴って、前記在庫数登録手段に登録された在庫数を減算更新する在庫数更新手段と、
該在庫数更新手段により更新された在庫数に基づいて、前記景品の予約が可能であるか否かを判定する在庫数判定手段と、
前記ユーザ１人あたりが予約可能な景品の個数又は前記ユーザ１人あたりが予約に供することが可能な有価価値に対する上限値を設定する上限値設定手段と、
前記予約を行うユーザについて、前記予約内容登録処理に供されたが前記提供処理に未だ供されていない景品である未提供予約景品の個数である未提供予約個数又は当該未提供予約景品に対応する有価価値である未提供予約価値を特定する未提供予約特定手段と、
該未提供予約特定手段により特定された未提供予約個数又は未提供予約価値と、前記上限値設定手段により設定された上限値とに基づいて、前記ユーザについて予約が可能であるか否かを判定する上限値判定手段と、をさらに有し、
前記在庫数判定手段により予約が可能でないと判定されたことを条件として、該判定の対象となった景品について前記予約内容登録処理を不能化するための処理を行うと共に、前記上限値判定手段により予約が可能でないと判定されたことを条件として、該判定の対象となったユーザについて前記予約内容登録処理を不能化するための処理を行うことを特徴とする景品交換システム。
【請求項３】
請求項１又は２に記載した景品交換システムであって、
前記上限値設定手段は、前記上限値として、前記ユーザが予約する景品の全個数又は前記ユーザが予約する全景品に対応する有価価値に対する全体上限値と、該全体上限値よりも低い値であって前記ユーザが予約する１種類の景品の個数又は前記ユーザが予約する１種類の景品に対応する有価価値に対する個別上限値とを設定し、
前記未提供予約特定手段は、前記未提供予約景品の全個数である全体未提供予約個数又は全未提供予約景品に対応する有価価値である全体未提供予約価値と、未提供予約景品の各種類毎の個数である個別未提供予約個数又は各種類毎の未提供予約景品に対応する有価価値である個別未提供予約価値とを特定し、
前記上限値判定手段は、前記未提供予約特定手段により特定された全体未提供予約個数又は全体未提供予約価値と、前記上限値設定手段により設定された全体上限値とに基づいて、前記判定を行うと共に、前記未提供予約特定手段により特定された個別未提供予約個数又は個別未提供予約価値と、前記上限値設定手段により設定された個別上限値とに基づいて、前記判定を行うことを特徴とする景品交換システム。
【請求項４】
請求項１〜３のいずれか１つに記載した景品交換システムであって、
前記上限値設定手段は、各景品の種類毎に、前記上限値を設定し、
前記未提供予約特定手段は、前記未提供予約景品の各種類毎の個数である個別未提供予約個数又は各種類毎の未提供予約景品に対応する有価価値である個別未提供予約価値を特定し、
前記上限値判定手段は、前記未提供予約特定手段により特定された個別未提供予約個数又は個別未提供予約価値と、前記上限値設定手段により設定された上限値とに基づいて、前記判定を行うことを特徴とする景品交換システム。
【請求項５】
請求項４に記載した景品交換システムであって、
前記上限値設定手段は、前記在庫数登録手段に登録された各景品の在庫数及び／又は各景品に対応する有価価値に基づいて、前記上限値を設定することを特徴とする景品交換システム。
【請求項６】
請求項１〜５のいずれか１つに記載した景品交換システムであって、
前記景品管理装置は、前記上限値判定手段により予約が可能でないと判定されたユーザのユーザ特定情報を抽出するユーザ特定情報抽出手段をさらに有することを特徴とする景品交換システム。
【請求項７】
請求項１〜６のいずれか１つに記載した景品交換システムであって、
前記景品管理装置は、所定期間毎に前記提供処理が行われずに登録されている予約識別情報及び景品特定情報を無効化する処理を行うことを特徴とする景品交換システム。
【請求項８】
請求項１〜７のいずれか１つに記載した景品交換システムであって、
前記景品管理装置は、
各景品の在庫数を示す在庫数情報を受け付ける在庫数情報受付手段をさらに有し、
該在庫数情報受付手段により受け付けた在庫数情報が示す各景品の在庫数を前記在庫数登録手段により登録することを特徴とする景品交換システム。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】